(57)【要約】      （修正有）【課題】携帯音響機器と携帯電話の音声出力を聴取するためのイヤホンを共用（兼用）できるようにし、携帯音響機器の出力をイヤホンを通して聴取しているとき、携帯電話の着信があった場合には、自動又は手動により携帯電話の着信音声を前記イヤホンに流してそのイヤホンで聴取できるようにしたイヤホン装置を提供すること。【解決手段】携帯音響機器１のイヤホン出力端子に接続される入力端子を備えたイヤホン２であって、そのイヤホン２と前記入力端子をつなぐケーブル31，32の中間に、マイクロホン６と通信コントローラ５を備え、通信コントローラ５は、ブルーツース発信部41を一体又は別体に備えた携帯電話4A，4Bの当該ブルーツース発信部４に無線接続されるブルーツース受信部5aと、該ブルーツース受信部5aの出力と前記音響機器１のイヤホン出力とを切換えて前記イヤホン２に接続する信号切換部5cとを備えて形成したこと。【選択図】図２
0003112619.tif 000002
【実用新案登録請求の範囲】
【請求項１】
携帯音響機器のイヤホン出力端子に接続される入力端子を備えたイヤホンであって、そのイヤホンと前記入力端子をつなぐケーブルの中間に、マイクロホンと通信コントローラを備え、通信コントローラは、ブルーツース発信部を一体又は別体に備えた携帯電話の当該ブルーツース発信部に無線接続されるブルーツース受信部と、該ブルーツース受信部の出力と前記音響機器のイヤホン出力とを切換えて前記イヤホンに接続する信号切換部とを備えて形成したことを特徴とする携帯機器用のイヤホン装置。
【請求項２】
ブルーツース受信部と信号切換部の間に信号増幅部を挿入すると共に、信号切換部とイヤホンの間にボリューム等による音量調整部を挿入した請求項１の携帯機器用のイヤホン装置。
【請求項３】
信号切換部は、自動切換えでは携帯電話を優先する切換回路に形成した請求項１又は２の携帯機器用のイヤホン装置。
【考案の詳細な説明】
【技術分野】
【０００１】
本考案はＭＤプレーヤやＭＰ３プレーヤ等の携帯音響機器（以下、携帯オーディオ装置ともいう）の音声出力と携帯電話の着信音声を自動切換えで聴取することができると共に、携帯電話については音声の発信もすることができるようにしたイヤホン装置に関する。
【背景技術】
【０００２】
携帯電話は、国内で6000万台以上が普及し、学生，社会人はもとより小，中学生や家庭の主婦など、屋外で活動できる人々の殆んどが利用しているといっても過言ではない状況にある。
【０００３】
一方、ＭＤプレーヤ，ＭＰ３プレーヤなどの携帯用デジタル音響機器の普及度も高く、特に青少年層では携帯電話と携帯音響機器は、日常生活上の必需品となっている。
【０００４】
ところで、携帯電話も携帯音響機器も、いずれも出力される音声周波信号が耳を通して音声情報として聴取される構成であるため、携帯電話と携帯音響機器の両方から同時に音声出力を識別して聴取することは、事実上不可能であり、両方の音声情報が一緒に聴えても事実上のメリットは何もないどころか、有用情報を正確に聴取することができないという問題がある。
【０００５】
一方、携帯音響機器をイヤホンを使って利用中に、携帯電話が着信すると、イヤホンを外して携帯電話を耳に当てなければならない煩しさがある。
【考案の開示】
【考案が解決しようとする課題】
【０００６】
そこで本考案では、携帯音響機器と携帯電話の音声出力を聴取するためのイヤホンを共用（兼用）できるようにし、携帯音響機器の出力をイヤホンを通して聴取しているとき、携帯電話の着信があった場合には、自動又は手動により携帯電話の着信音声を前記イヤホンに流してそのイヤホンで聴取できるようにしたイヤホン装置を提供することを、その課題とする。
【課題を解決するための手段】
【０００７】
上記課題を解決することを目的としてなされた本考案イヤホン装置の構成は、携帯音響機器のイヤホン出力端子に接続される入力端子を備えたイヤホンであって、そのイヤホンと前記入力端子をつなぐケーブルの中間に、マイクロホンと通信コントローラを備え、通信コントローラは、ブルーツース発信部を一体又は別体に備えた携帯電話の当該ブルーツース発信部に無線接続されるブルー受信部と、該ブルーツース受信部の出力と前記音響機器のイヤホン出力とを切換えて前記イヤホンに接続する信号切換部とを備えて形成したことを特徴とするものである。
【０００８】
本考案イヤホン装置は、上記コントローラにおいて、ブルーツース受信部と信号切換部の間に信号増幅部を挿入すると共に、信号切換部とイヤホンの間にボリューム等による音量調整部を挿入した構成とする。
【０００９】
また、信号切換部は、自動切換えでは携帯電話を優先する切換回路に形成する。
【考案の効果】
【００１０】
本考案では、携帯音響機器と携帯電話の音声出力を切換え式で一つのイヤホンにより聴取できるようにしたので、携帯電話への着信のつどに携帯音響機器のイヤホンを耳から外したり着け直したりする煩しさを解消することができる。
【考案を実施するための最良の形態】
【００１１】
次に本考案の実施の形態例について、図を参照して説明する。図１は本考案イヤホン装置と携帯音響機器、及び、携帯電話を示した斜視図、図２は本考案イヤホン装置をその通信コントローラを中心にして携帯電話と携帯音響機器との関係を示したブロック図である。
【００１２】
図において、１はＭＰ３プレーヤやＭＤプレーヤなどの携帯オーディオ装置、２は前記オーディオ装置用のイヤホンで、公知の携帯オーディオ装置１では、イヤホン２が１本のケーブル31，32におけるケーブル32のエンドに設けた入力端子2aによって、オーディオ装置１のイヤホン出力端子1aに直接接続される形態であった（図１参照）。なお、イヤホンケーブルの中間にはスイッチ、ボリューム、或は、選曲ボタン等の操作部（図示せず）を有するものがある。
【００１３】
4Aはブルーツース対応の携帯電話、4Bはブルーツース非対応の携帯電話で、ブルーツース対応の携帯電話4Aはそのためのブルーツース発信部41を内蔵しているが、非対応の携帯電話4Bは、外部にブルーツース発信部42をドングルとして備えている。
【００１４】
上記の携帯オーディオ装置１とイヤホン２において、イヤホンケーブル31と32の中間には、前記オーディオ装置１からの音声周波出力と携帯電話4A又は4Bからのブルーツース発信部41又は42を経由した着信周波出力とを切換える通信コントローラ５が設けられている。
【００１５】
通信コントローラ５は、ブルーツース受信部5a、信号増幅部5b、信号切換部5c、音量調整部5dを備えて形成されている。信号切換部5cは、一例としてオーディオ装置１のイヤホン出力端子1aに接続された入力端子51cとブルーツース受信部5a側の入力端子52cと、切換可動接片54cを備えた出力端子53cを備えて形成されており、出力端子53cはボリュームなどによる音量調整部5dを経由してイヤホン寄り側のケーブル31に接続されている。そして、このケーブル31のイヤホン２の近くにはマイクロホン６が挿入されている。
【００１６】
上記の切換部5cにおいて、切換可動接片54cは、それを手動で切換えるか、或は、自動切換とする。自動切換は、図示しないが、ブルーツース受信部5aが携帯電話4A又は4Bの着信を受信したとき、一例としてその受信信号をトリガーとし、前記接片54cをマイクロソレノイドなどにより入力端子52c側に、強制的に切換えて接続する。
【００１７】
従って、本考案イヤホン装置では、イヤホン２を耳に装着してＭＰ３プレーヤなどの携帯オーディオ装置１を利用しているとき、即ち、切換部5cがオーディオ装置１の側に接続されているとき、携帯電話4A又は4Bに着信があると、その旨がブルーツース発信部41又は42からこのイヤホン装置における通信コントローラ５の受信部5aに入力するから、前記切換部5cが強制的にブルーツース受信部5aの側に切換えられ、よって、イヤホン２を耳から外すことなく携帯電話4A又は4Bから音声を聴くことができると共に、マイクロホン６からイヤホン２を装着している受信者の音声をブルーツース受，発信部5a，41(42)を経由して携帯電話の発信者側に送ることができる。
【産業上の利用可能性】
【００１８】
本考案イヤホン装置は以上の通りであって、携帯音響機器と携帯電話の音声出力を切換え式で一つのイヤホンにより聴取できるようにしたので、携帯電話への着信のつどに携帯音響機器のイヤホンを耳から外したり着け直したりする煩しさを解消することができるという、実用上、至って便利な効果が得られる。
【図面の簡単な説明】
【００１９】
【図１】本考案イヤホン装置と携帯音響機器、及び、携帯電話を示した斜視図。
【図２】本考案イヤホン装置をその通信コントローラを中心にして携帯電話と携帯音響機器との関係を示したブロック図。
【符号の説明】
【００２０】
１        携帯音響機器
２        イヤホン
31，32    ケーブル
4A，4B    携帯電話
５        通信コントローラ
６        マイクロホン
【図１】
0003112619.tif 000003
【図２】
0003112619.tif 000004
【手続補正書】
【提出日】平成17年3月14日(2005.3.14)
【手続補正１】
【補正対象書類名】明細書
【補正対象項目名】全文
【補正方法】変更
【補正の内容】
【考案の詳細な説明】
【技術分野】
【０００１】
本考案はＭＤ（登録商標、以下同じ）プレーヤやＭＰ３プレーヤ等の携帯音響機器（以下、携帯オーディオ装置ともいう）の音声出力と携帯電話の着信音声を自動切換えで聴取することができると共に、携帯電話については音声の発信もすることができるようにしたイヤホン装置に関する。
【背景技術】
【０００２】
携帯電話は、国内で6000万台以上が普及し、学生，社会人はもとより小，中学生や家庭の主婦など、屋外で活動できる人々の殆んどが利用しているといっても過言ではない状況にある。
【０００３】
一方、ＭＤプレーヤ，ＭＰ３プレーヤなどの携帯用デジタル音響機器の普及度も高く、特に青少年層では携帯電話と携帯音響機器は、日常生活上の必需品となっている。
【０００４】
ところで、携帯電話も携帯音響機器も、いずれも出力される音声周波信号が耳を通して音声情報として聴取される構成であるため、携帯電話と携帯音響機器の両方から同時に音声出力を識別して聴取することは、事実上不可能であり、両方の音声情報が一緒に聴えても事実上のメリットは何もないどころか、有用情報を正確に聴取することができないという問題がある。
【０００５】
一方、携帯音響機器をイヤホンを使って利用中に、携帯電話が着信すると、イヤホンを外して携帯電話を耳に当てなければならない煩しさがある。
【考案の開示】
【考案が解決しようとする課題】
【０００６】
そこで本考案では、携帯音響機器と携帯電話の音声出力を聴取するためのイヤホンを共用（兼用）できるようにし、携帯音響機器の出力をイヤホンを通して聴取しているとき、携帯電話の着信があった場合には、自動又は手動により携帯電話の着信音声を前記イヤホンに流してそのイヤホンで聴取できるようにしたイヤホン装置を提供することを、その課題とする。
【課題を解決するための手段】
【０００７】
上記課題を解決することを目的としてなされた本考案イヤホン装置の構成は、携帯音響機器のイヤホン出力端子に接続される入力端子を備えたイヤホンであって、そのイヤホンと前記入力端子をつなぐケーブルの中間に、マイクロホンと通信コントローラを備え、通信コントローラは、ブルーツース（登録商標、以下同じ）発信部を一体又は別体に備えた携帯電話の当該ブルーツース発信部に無線接続されるブルー受信部と、該ブルーツース受信部の出力と前記音響機器のイヤホン出力とを切換えて前記イヤホンに接続する信号切換部とを備えて形成したことを特徴とするものである。
【０００８】
本考案イヤホン装置は、上記コントローラにおいて、ブルーツース受信部と信号切換部の間に信号増幅部を挿入すると共に、信号切換部とイヤホンの間にボリューム等による音量調整部を挿入した構成とする。
【０００９】
また、信号切換部は、自動切換えでは携帯電話を優先する切換回路に形成する。
【考案の効果】
【００１０】
本考案では、携帯音響機器と携帯電話の音声出力を切換え式で一つのイヤホンにより聴取できるようにしたので、携帯電話への着信のつどに携帯音響機器のイヤホンを耳から外したり着け直したりする煩しさを解消することができる。
【考案を実施するための最良の形態】
【００１１】
次に本考案の実施の形態例について、図を参照して説明する。図１は本考案イヤホン装置と携帯音響機器、及び、携帯電話を示した斜視図、図２は本考案イヤホン装置をその通信コントローラを中心にして携帯電話と携帯音響機器との関係を示したブロック図である。
【００１２】
図において、１はＭＰ３プレーヤやＭＤプレーヤなどの携帯オーディオ装置、２は前記オーディオ装置用のイヤホンで、公知の携帯オーディオ装置１では、イヤホン２が１本のケーブル31，32におけるケーブル32のエンドに設けた入力端子2aによって、オーディオ装置１のイヤホン出力端子1aに直接接続される形態であった（図１参照）。なお、イヤホンケーブルの中間にはスイッチ、ボリューム、或は、選曲ボタン等の操作部（図示せず）を有するものがある。
【００１３】
4Aはブルーツース対応の携帯電話、4Bはブルーツース非対応の携帯電話で、ブルーツース対応の携帯電話4Aはそのためのブルーツース発信部41を内蔵しているが、非対応の携帯電話4Bは、外部にブルーツース発信部42をドングルとして備えている。
【００１４】
上記の携帯オーディオ装置１とイヤホン２において、イヤホンケーブル31と32の中間には、前記オーディオ装置１からの音声周波出力と携帯電話4A又は4Bからのブルーツース発信部41又は42を経由した着信周波出力とを切換える通信コントローラ５が設けられている。
【００１５】
通信コントローラ５は、ブルーツース受信部5a、信号増幅部5b、信号切換部5c、音量調整部5dを備えて形成されている。信号切換部5cは、一例としてオーディオ装置１のイヤホン出力端子1aに接続された入力端子51cとブルーツース受信部5a側の入力端子52cと、切換可動接片54cを備えた出力端子53cを備えて形成されており、出力端子53cはボリュームなどによる音量調整部5dを経由してイヤホン寄り側のケーブル31に接続されている。そして、このケーブル31のイヤホン２の近くにはマイクロホン６が挿入されている。
【００１６】
上記の切換部5cにおいて、切換可動接片54cは、それを手動で切換えるか、或は、自動切換とする。自動切換は、図示しないが、ブルーツース受信部5aが携帯電話4A又は4Bの着信を受信したとき、一例としてその受信信号をトリガーとし、前記接片54cをマイクロソレノイドなどにより入力端子52c側に、強制的に切換えて接続する。
【００１７】
従って、本考案イヤホン装置では、イヤホン２を耳に装着してＭＰ３プレーヤなどの携帯オーディオ装置１を利用しているとき、即ち、切換部5cがオーディオ装置１の側に接続されているとき、携帯電話4A又は4Bに着信があると、その旨がブルーツース発信部41又は42からこのイヤホン装置における通信コントローラ５の受信部5aに入力するから、前記切換部5cが強制的にブルーツース受信部5aの側に切換えられ、よって、イヤホン２を耳から外すことなく携帯電話4A又は4Bから音声を聴くことができると共に、マイクロホン６からイヤホン２を装着している受信者の音声をブルーツース受，発信部5a，41(42)を経由して携帯電話の発信者側に送ることができる。
【産業上の利用可能性】
【００１８】
本考案イヤホン装置は以上の通りであって、携帯音響機器と携帯電話の音声出力を切換え式で一つのイヤホンにより聴取できるようにしたので、携帯電話への着信のつどに携帯音響機器のイヤホンを耳から外したり着け直したりする煩しさを解消することができるという、実用上、至って便利な効果が得られる。
【図面の簡単な説明】
【００１９】
【図１】本考案イヤホン装置と携帯音響機器、及び、携帯電話を示した斜視図。
【図２】本考案イヤホン装置をその通信コントローラを中心にして携帯電話と携帯音響機器との関係を示したブロック図。
【符号の説明】
【００２０】
１        携帯音響機器
２        イヤホン
31，32    ケーブル
4A，4B    携帯電話
５        通信コントローラ
６        マイクロホン
【手続補正書】
【提出日】平成17年5月27日(2005.5.27)
【手続補正１】
【補正対象書類名】実用新案登録請求の範囲
【補正対象項目名】全文
【補正方法】変更
【補正の内容】
【実用新案登録請求の範囲】
【請求項１】
携帯音響機器のイヤホン出力端子に接続される入力端子を備えたイヤホンであって、そのイヤホンと前記入力端子をつなぐケーブルの中間に、マイクロホンと通信コントローラを備え、通信コントローラは、ブルーツース（登録商標、以下同じ）発信部を一体又は別体に備えた携帯電話の当該ブルーツース発信部に無線接続されるブルーツース受信部と、該ブルーツース受信部の出力と前記音響機器のイヤホン出力とを切換えて前記イヤホンに接続する信号切換部とを備えて形成したことを特徴とする携帯機器用のイヤホン装置。
【請求項２】
ブルーツース受信部と信号切換部の間に信号増幅部を挿入すると共に、信号切換部とイヤホンの間にボリューム等による音量調整部を挿入した請求項１の携帯機器用のイヤホン装置。
【請求項３】
信号切換部は、自動切換えでは携帯電話を優先する切換回路に形成した請求項１又は２の携帯機器用のイヤホン装置。